(57)【要約】【課題】基板に設けたコネクタによる光ムラを防止することができるＬＥＤユニットおよび照明器具を提供する。【解決手段】ＬＥＤユニット２０Ａは、ＬＥＤ基板２１Ａにおける一定幅の基板本体２１１に連続して、基板本体２１１よりも幅寸法が小さな凸部２１２Ａを有し、凸部２１２Ａにコネクタ２３、２４を設けたので、隣接するＬＥＤ基板２１Ａ同士を凸部２１２Ａを介して連結できる。このため、コネクタ２３、２４を幅方向の端部寄りに設けることができ、隣接するＬＥＤ基板２１Ａの連結部分におけるＬＥＤ間隔を、基板本体２１１におけるＬＥＤ間隔に近づけることができ、コネクタ２３、２４による光ムラを防止することができる。【選択図】図２
2013254630.tif 000002
【特許請求の範囲】
【請求項１】
ＬＥＤと、
前記ＬＥＤを実装するＬＥＤ基板と、を有し、
前記ＬＥＤ基板が、
一定幅の基板本体と、
前記基板本体に連続し、前記基板本体よりも幅寸法が小さな凸部と、
前記凸部に設けられるコネクタと、を有するＬＥＤユニット。
【請求項２】
請求項１に記載のＬＥＤユニットにおいて、
前記コネクタの接続方向が、前記ＬＥＤ基板の長手方向に対して交差する方向に設けられたＬＥＤユニット。
【請求項３】
請求項１または請求項２に記載のＬＥＤユニットにおいて、
前記凸部に前記ＬＥＤを配置したＬＥＤユニット。
【請求項４】
請求項１ないし請求項３のうちのいずれか１項に記載のＬＥＤユニットを用いた照明器具。
【発明の詳細な説明】
【技術分野】
【０００１】
本発明は、基板上に複数個のＬＥＤとコネクタとを有するＬＥＤユニットおよびこのＬＥＤユニットを複数個連結した照明器具に関するものである。
【背景技術】
【０００２】
従来より、基板上に複数個のＬＥＤを実装するとともに、基板の両端部にコネクタを備えたＬＥＤユニットが知られている（例えば、特許文献１参照）。
図７に示すように、特許文献１に記載の発光モジュール（ＬＥＤユニット）１００は、例えば長方形の基板１０１を有する。基板１０１は、発光面となる表面に、複数個の発光ダイオード（ＬＥＤ）１０２を直列接続した回路１０３を有する。また、基板１０１の一端における幅方向中央部には連結コネクタ１０４が設けられており、他端における幅方向中央部には端部コネクタ１０５が設けられている。
【０００３】
従って、２個の発光モジュール１００、１００の連結コネクタ１０４、１０４同士を連結することにより、２個の発光モジュール１００、１００を、連結コネクタ１０４、１０４を中心とした点対称状態で連結することができる。この際、一方の端部コネクタ１０５には短絡片１０６を取り付け、他方の端部コネクタ１０５には電源線１０７が取り付けられる。
【０００４】
なお、図示はしないが、基板１０１の両端に連結コネクタ１０４を有する発光モジュール１００を用いることにより、２個以上の発光モジュール１００を連結することが可能となっている。
【先行技術文献】
【特許文献】
【０００５】
【特許文献１】特開２０１０−９８３０２号公報（第１図）
【発明の概要】
【発明が解決しようとする課題】
【０００６】
しかしながら、前述した特許文献１に記載のＬＥＤユニット（発光モジュール１００）においては、基板１０１の両端に設けられている連結コネクタ１０４および端部コネクタ１０５が、基板１０１の幅方向中央部に設けられている。
このため、連結コネクタ１０４、端部コネクタ１０５によって光ムラができたり、連結コネクタ１０４、端部コネクタ１０５のために端部のＬＥＤ１０２のピッチが変わって光ムラが生じたりするという問題があった。
【０００７】
本発明は、従来の問題を解決するためになされたもので、基板に設けたコネクタによる光ムラを防止することができるＬＥＤユニットおよび照明器具を提供することを目的とする。
【課題を解決するための手段】
【０００８】
本発明のＬＥＤユニットは、ＬＥＤと、前記ＬＥＤを実装するＬＥＤ基板と、を有し、前記ＬＥＤ基板が、一定幅の基板本体と、前記基板本体に連続し、前記基板本体よりも幅寸法が小さな凸部と、前記凸部に設けられるコネクタと、を有するものである。
【０００９】
また、本発明のＬＥＤユニットは、前記コネクタの接続方向が、前記ＬＥＤ基板の長手方向に対して交差する方向に設けられたものである。
【００１０】
また、本発明のＬＥＤユニットは、前記凸部に前記ＬＥＤを配置したものである。
【００１１】
さらに、本発明の照明器具は、前述したＬＥＤユニットを用いたものである。
【発明の効果】
【００１２】
本発明は、ＬＥＤ基板における一定幅の基板本体に連続して、基板本体よりも幅寸法が小さな凸部を有し、凸部にコネクタを設けたので、隣接するＬＥＤ基板同士を凸部を介して連結できる。このため、隣接するＬＥＤ基板の連結部分におけるＬＥＤ間隔を、基板本体におけるＬＥＤ間隔に近づけることができ、コネクタによる光ムラを防止することができるという効果を有するＬＥＤユニットおよび照明器具を提供できる。
【図面の簡単な説明】
【００１３】
【図１】本発明に係る第１実施形態の照明器具の分解斜視図
【図２】本発明に係る第１実施形態のＬＥＤユニットの平面図
【図３】本発明に係る第２実施形態のＬＥＤユニットの平面図
【図４】本発明に係る第３実施形態のＬＥＤユニットの平面図
【図５】本発明に係る第４実施形態のＬＥＤユニットの平面図
【図６】本発明に係るＬＥＤユニットの変形例を示す平面図
【図７】従来のＬＥＤユニットの平面図
【発明を実施するための形態】
【００１４】
（第１実施形態）
以下、本発明に係る第１実施形態のＬＥＤユニットおよび照明器具について、図面を用いて説明する。
図１に示すように、本発明に係る第１実施形態の照明器具１０は、例えば天井（図示省略）等の被取付部に取り付けて、下方を照明するのに用いることができる。
【００１５】
照明器具１０は、器具本体１１と、反射板１２と、光源である直線的なＬＥＤ発光部３０Ａと、取付板１３と、カバー１４を有する。
器具本体１１は、天井等に取り付けられる板状部材であり、主に金属製である。器具本体１１には、ＬＥＤ発光部３０Ａに点灯電力を供給する電源装置１５が取り付けられる。
また、器具本体１１は、器具本体１１を天井面等に取り付けるための取付孔１１１が設けられている。
【００１６】
ＬＥＤ発光部３０Ａは、複数（ここでは、例えば４個）のＬＥＤユニット２０Ａを有する。なお、ＬＥＤユニット２０Ａについては、詳細を後述する。
反射板１２は台形断面に形成されており、下方に向いた反射面として一対の斜面１２１を有する。
取付板１３は、ＬＥＤ発光部３０Ａすなわち複数のＬＥＤユニット２０Ａを支持して、反射板１２の下面１２２に取り付けられる。
【００１７】
カバー１４は透光性の樹脂等からなり、ＬＥＤ発光部３０Ａを覆うように取付板１３に取り付けられる。
ここでは、カバー１４の断面は、半円形状に形成されている。また、ここでは、カバー１４は、照明器具１０の全長を２分割するように設けられているが、全長を１個で覆うこともできるし、３個以上に分割することも可能である。
【００１８】
従って、ＬＥＤ発光部３０ＡのＬＥＤユニット２０Ａから発せられた光は、カバー１４を透過して下方を照明する。また、カバー１４を透過して拡散された光は、反射板１２の射面１２１で反射して、下方に照射される。
【００１９】
次に、本発明に係る第１実施形態のＬＥＤユニット２０ＡおよびＬＥＤ発光部３０Ａについて詳細に説明する。
図２に示すように、ＬＥＤユニット２０Ａは、１枚の帯状のＬＥＤ基板２１Ａを有しており、配列線Ｌ１に沿って複数個のＬＥＤ２２が実装されている。
ここでは、配列線Ｌ１は、ＬＥＤ基板２１Ａの幅方向中央において、ＬＥＤ基板２１Ａの長手方向に沿って設けられているので、ＬＥＤ基板２１Ａの中心線ＣＬと一致している。
【００２０】
ＬＥＤ基板２１Ａは、中央に一定幅の矩形状の基板本体２１１を有し、基板本体２１１の長手方向両端部には、基板本体２１１よりも幅寸法が小さな凸部２１２Ａ、２１２Ａを有する。
ここでは、凸部２１２Ａは、基板本体２１１からＬＥＤ基板２１の長手方向に沿って両外側に三角状に突出して設けられている。また、両凸部２１２Ａ、２１２Ａは、基板本体２１１の中心に対して点対称の位置および形状に設けられている。
従って、隣接するＬＥＤ基板２１Ａ、２１Ａは、凸部２１２Ａの端面２１３Ａ同士が接触するように連結される。
【００２１】
両凸部２１２、２１２には、コネクタ２３、２４が設けられており、電源装置１５からの接続線（図示省略）が接続されて、電力の供給を受ける。なお、コネクタ２３、２４は、電線を用いることなく直接ＬＥＤ基板２１Ａと電気的に接続される。
コネクタ２３、２４は互いに接続可能なものであり、接続方向（接続線Ｌ２）が、長手方向（配列線Ｌ１）と交差するように設けられる。このため、コネクタ２３、２４の配列線Ｌ１に沿った寸法が小さくなっている。
例えば図２においては、コネクタ２３、２４は、接続方向（接続線Ｌ２）が各々凸部２１２の端面２１３Ａに直交する方向に取り付けられている。
【００２２】
配列線Ｌ１に沿って設けられているＬＥＤ２２は、基板本体２１１において、等間隔Ｄ１で実装されている。
また、凸部２１２ＡにもＬＥＤ２２１が実装されている。互いに隣接するＬＥＤユニット２０Ａ、２０Ａでは、隣接するＬＥＤ２２１、２２１の間隔Ｄ２は、基板本体２１１における間隔Ｄ１と略等しくなるように設定されている。
【００２３】
以上、説明した本発明に係る第１実施形態のＬＥＤユニット２０Ａによれば、ＬＥＤ基板２１Ａにおける一定幅の基板本体２１１に連続して、基板本体２１１よりも幅寸法が小さな凸部２１２Ａを設けた。
そして、凸部２１２Ａにコネクタ２３、２４を設けたので、隣接するＬＥＤ基板２１Ａ同士を凸部２１２Ａを介して連結できる。
このため、隣接するＬＥＤ基板２１Ａの連結部分におけるＬＥＤ間隔を、基板本体２１１におけるＬＥＤ間隔に近づけることができるので、コネクタ２３、２４による光ムラを防止することができる。
【００２４】
また、コネクタ２３、２４の接続方向を、ＬＥＤ基板２１Ａの長手方向に対して交差する方向に設けたので、ＬＥＤ２２の配列方向におけるコネクタ２３、２４の寸法を小さくできる。
これにより、隣接するＬＥＤ基板２１Ａの連結部分におけるＬＥＤ間隔を、基板本体２１１におけるＬＥＤ間隔に近づけることができ、コネクタ２３、２４による光ムラを防止することができる。
【００２５】
また、凸部２１２ＡにＬＥＤ２２１を配置したので、隣接するＬＥＤ基板２１Ａの連結部分におけるＬＥＤ間隔を小さくでき、基板本体２１１におけるＬＥＤ間隔に近づけてコネクタ２３、２４による光ムラを防止することができる。
【００２６】
さらに、本発明に係る第１実施形態の照明器具１０によれば、上述したＬＥＤユニット２０Ａを用いたので、隣接するＬＥＤ基板２１Ａの連結部分におけるＬＥＤ間隔を、基板本体２１１におけるＬＥＤ間隔に近づけることができる。
これにより、コネクタ２３、２４による光ムラを防止することができる。
【００２７】
（第２実施形態）
次に、本発明に係る第２実施形態のＬＥＤユニット２０Ｂについて詳細に説明する。
なお、前述したＬＥＤユニット２０Ａと共通する部位には同じ符号を付して、重複する説明を省略することとする。
【００２８】
図３に示すように、このＬＥＤユニット２０Ｂでは、基板本体２１１の長手方向両端に、長手方向に沿って突出する凸部２１２Ｂ、２１２Ｂを設けた。両凸部２１２Ｂ、２１２Ｂは、ＬＥＤ基板２１Ｂの幅の半分の幅を有し、基板本体２１１の中心に対して点対称の位置および形状に設けられている。
従って、隣接するＬＥＤ基板２１Ｂ、２１Ｂは、凸部２１２Ｂの端面２１３Ｂ同士が接触するように連結される。
【００２９】
両凸部２１２Ｂ、２１２Ｂには、コネクタ２３、２４が、各々凸部２１２Ｂの端面２１３Ｂに直交するように取り付けられている。
すなわち、コネクタ２３、２４の接続方向（接続線Ｌ２）は、配列線Ｌ１と交差（ここでは、直交）するように設けられている。
【００３０】
配列線Ｌ１に沿って設けられているＬＥＤ２２は、基板本体２１１において、等間隔Ｄ１で実装されている。
そして、互いに隣接するＬＥＤユニット２０Ｂ、２０Ｂでは、隣接するＬＥＤ２２１、２２１の間隔Ｄ２は、基板本体２１１における間隔Ｄ１と略等しくなるように設定されている。
そして、このようなＬＥＤユニット２０Ｂを複数個連結することにより、ＬＥＤ発光部３０Ｂが形成されている。
【００３１】
以上、説明した本発明に係る第２実施形態のＬＥＤユニット２０Ｂによれば、前述した第１実施形態のＬＥＤユニット２０Ａと同様に、コネクタ２３、２４による光ムラを防止することができる。
また、コネクタ２３、２４の接続方向（接続線Ｌ２）が、ＬＥＤ２２の配列線Ｌ１と直交するので、ＬＥＤユニット２０Ｂの長手方向の引張力が作用しても、コネクタ２３、２４は容易に外れない。
【００３２】
（第３実施形態）
次に、本発明に係る第３実施形態のＬＥＤユニット２０Ｃについて詳細に説明する。
なお、前述した第１実施形態のＬＥＤユニット２０Ａおよび第２実施形態のＬＥＤユニット２０Ｂと共通する部位には同じ符号を付して、重複する説明を省略することとする。
【００３３】
図４に示すように、このＬＥＤユニット２０Ｃでは、第２実施形態のＬＥＤユニット２０Ｂにおける凸部２１２Ｂの幅を、基板本体２１１の幅の半分以下に形成して凸部２１２Ｃを形成した。
従って、ＬＥＤユニット２０Ｃは、基板本体２１１の中心に対して点対称の形状とはなっていない。
さらに、コネクタ２３、２４の接続方向（接続線Ｌ２）を、配列線Ｌ１と平行に設けた。
そして、このようなＬＥＤユニット２０Ｃを複数個連結することにより、ＬＥＤ発光部３０Ｃが形成されている。
【００３４】
以上、説明した本発明に係る第３実施形態のＬＥＤユニット２０Ｃによれば、コネクタ２３、２４の近傍までＬＥＤ２２１を設けることができる。
このため、隣接するＬＥＤ基板２１Ｃ間の連結部においてもＬＥＤ２２の配列ピッチＤ１を保持することができ、コネクタ２３、２４による光ムラを防止することができる。
なお、第３実施形態のＬＥＤユニット２０Ｃは、ＬＥＤ基板２１Ｃの幅がコネクタ２３、２４の幅に比して大きい場合に好適である。
【００３５】
（第４実施形態）
次に、本発明に係る第４実施形態のＬＥＤユニット２０Ｄについて詳細に説明する。
なお、前述した第１実施形態のＬＥＤユニット２０Ａないし第３実施形態のＬＥＤユニット２０Ｃと共通する部位には同じ符号を付して、重複する説明を省略することとする。
【００３６】
図５に示すように、このＬＥＤユニット２０Ｄでは、第３実施形態のＬＥＤユニット２０Ｃ（図４参照）における凸部２１２Ｃの幅をＬＥＤ基板２１Ｄの幅の略半分として凸部２１２Ｄを形成した。そして、コネクタ２３、２４の近傍に設けたＬＥＤ２２１を、配設線Ｌ１から外れた位置に配置した。
また、隣接するＬＥＤユニット２０Ｄ、２０Ｄ間の連結部分におけるＬＥＤ間隔Ｄ３を、基板本体２１１におけるＬＥＤ間隔Ｄ１に近く設定した。
そして、このようなＬＥＤユニット２０Ｄを複数個連結することにより、ＬＥＤ発光部３０Ｄが形成されている。
【００３７】
以上、説明した本発明に係る第４実施形態のＬＥＤユニット２０Ｄによれば、前述した第３実施形態のＬＥＤユニット２０Ｃと同様に、コネクタ２３、２４による光ムラを防止することができる。
さらに、凸部２１２ＤにもＬＥＤ２２を設けたので、隣接するＬＥＤユニット２０Ｄ、２０Ｄ間の連結部分におけるＬＥＤ間隔Ｄ３を、基板本体２１１におけるＬＥＤ間隔Ｄ１に近く設定でき、一層効果的に光ムラを防止することができる。
【００３８】
なお、本発明のＬＥＤユニットおよび照明器具は、前述した各実施形態に限定されるものでなく、適宜な変形、改良等が可能である。
例えば、図６に示すように、ＬＥＤユニット２０Ｅにおける長手方向端部の形状が異なる場合にも適用可能である。
すなわち、一方の端部には凸部２１２Ｅを設け、他方の端部には凹部２１４を設けて、凸部２１２Ｅおよび凹部２１４にコネクタ２３、２４を設けることも可能である。
【符号の説明】
【００３９】
１０  照明器具
２０Ａ、２０Ｂ、２０Ｃ、２０Ｄ、２０Ｅ  ＬＥＤユニット
２１Ａ、２１Ｂ、２１Ｃ、２１Ｄ  ＬＥＤ基板
２１１  基板本体
２１２Ａ、２１２Ｂ、２１２Ｃ、２１２Ｄ、２１２Ｅ  凸部
２２  ＬＥＤ
２３、２４  コネクタ
Ｌ１  配列線（長手方向）
Ｌ２  接続線（接続方向）
【図１】
2013254630.tif 000003
【図２】
2013254630.tif 000004
【図３】
2013254630.tif 000005
【図４】
2013254630.tif 000006
【図５】
2013254630.tif 000007
【図６】
2013254630.tif 000008
【図７】
2013254630.tif 000009